(57)【要約】      （修正有）【課題】木製Ｉ型複合梁を天井又は基礎と連結するブラケット等が梁のウェブ面とフランジの同側面との段差内に収まる木製Ｉ型複合梁を提供する。【解決手段】複合梁は、配向性ストランドボードからなる帯板状のウェブ２及びこの両端の長手方向に篏合接着した断面が方形の棒状のフランジ３からなる木製Ｉ型梁と、アルミニウム製の押し出し材から構成される長尺のフレームとから構成される。ウェブ２の面とフランジ３の同側面との間には一定の段差が生じる。アングル３１は補助板３２を含めて天井Ｃ側のブラケット３０を構成し、ウェブ２及びフランジ３に対して当接しネジ固定されている。天井Ｃにおいてブラケット３０はウェブ２の面でフランジ３の間に配置され、金属板からなるブラケット３０の厚さが前記ウェブ２の面とフランジ３の同側面との間の段差分より小さいため、取り合い部分がすっきりしたデザインとなる。【選択図】図６
2020122290.tif 000002
【特許請求の範囲】
【請求項１】
帯板状のウェブの長手方向の端縁の一方又は両方にフランジを設け、ウェブの面とフランジの同側面との間に段差を有する木質材からなり、前記フランジの長手方向に沿ってガラス面の端部を入れる凹部を設けた木製Ｉ型梁からなることを特徴とする建築用の複合梁。
【発明の詳細な説明】
【技術分野】
【０００１】
本発明は、広大なガラス面を有する建築物の梁として用いる建築用の複合梁に関するものである。
【背景技術】
【０００２】
従来から特許文献１に記載されているような木製Ｉ型複合梁が知られている。この木製Ｉ型複合梁は、繊維方向を平行に仕組んだ多数のベニヤ単板を積層接着した単板積層材（ＬＶＬ：ラミネーテッド・ベニヤ・ランバー）をフランジとし、配向性ストランドボード（ＯＳＢ：オリエンテッド・ストランド・ボード）からなるウェブの両端に篏合接着した構造である。木製Ｉ型複合梁は、各種建築物の構造材として用いられる。
【先行技術文献】
【特許文献】
【０００３】
【特許文献１】特開平１−１３１７４７号公報
【発明の概要】
【発明が解決しようとする課題】
【０００４】
しかしながら、上記従来の木製Ｉ型複合梁は、大きなガラス面を有する建築物の当該ガラス面のフレームに用いる場合、木製Ｉ型複合梁どうしの連結や天井又は基礎との連結においてブラケット等が外側に出すぎて外観デザインが良くないという問題点があった。本発明は、係る問題点を解決するためになされたものである。
【課題を解決するための手段】
【０００５】
本発明に係る建築用の複合梁は、帯板状のウェブの長手方向の端縁の一方又は両方にフランジを設け、ウェブの面とフランジの同側面との間に段差を有する木質材からなる木製Ｉ型梁と、当該木製Ｉ型梁の前記フランジの長手方向に沿って取り付けられ且つガラス面の端部を入れる凹部を前記長手方向に有する長尺の金属製または樹脂製のフレームとを有することを特徴とする。
【０００６】
また、前記木製Ｉ型梁のウェブ面で且つフランジの間に前記段差分より低い補強材を設けるのが好ましい。
【０００７】
本発明に係る建築物は、基礎又は天井に連結するブラケットを有し、ブラケットの板状となる端縁が、上記複合梁のフランジに当接又は実質的に当接状態で、前記建築物の基礎又は天井と前記建築複合梁が連結していることを特徴とする。
【０００８】
また、本発明に係る建築物は、基礎又は天井の間に上記複合梁が複数配設されて前記基礎又は天井と前記建築複合梁が連結し、前記建築複合梁の間であってその凹部にガラス板の端縁を入れて当該ガラス板を取り付けたことを特徴とする。
【０００９】
なお、前記建築物には、後述のビームスクリーンの他、複合梁を用いた各種の構造物が含まれるものとする。
【図面の簡単な説明】
【００１０】
【図１】本発明の実施の形態１に係る複合梁をビームスクリーンとして使用した例を示す平面図である。
【図２】本発明の実施の形態１に係る複合梁を示す斜視図である。
【図３】図２に示した複合梁の断面図である。
【図４】複合梁と建築物との連結構造を示す説明図である。
【図５】複合梁と建築物との連結構造を示す説明図である。
【図６】複合梁と建築物との連結構造を示す説明図であり、(ａ)は横方向視での説明図、（ｂ）は正面方向視の説明図である。
【図７】複合梁と建築物との連結構造を示す説明図であり、(ａ)は横方向視での説明図、（ｂ）は正面方向視の説明図である。
【図８】複合梁を水平方向に使用した場合のビームスクリーンの構造を示す説明図である。
【図９】複合梁を水平方向に使用した場合のビームスクリーンの構造を示す説明図である。
【図１０】複合梁を水平方向に使用した場合のビームスクリーンの構造を示す説明図である。
【図１１】本発明の実施の形態２に係る複合梁を示す平面図である。
【図１２】本発明の実施の形態２に係る複合梁を示す平面図である。
【図１３】本発明の実施の形態２に係る複合梁を示す断面図である。
【図１４】本発明の実施の形態２に係る複合梁の別の例を示す平面図である。
【図１５】本発明の実施の形態２に係る複合梁の別の例を示す平面図である。
【図１６】本発明の実施の形態２に係る複合梁の別の例を示す断面図である。
【図１７】本発明の実施の形態２に係る複合梁の別の例を示す平面図である。
【図１８】本発明の実施の形態２に係る複合梁の別の例を示す平面図である。
【図１９】本発明の実施の形態２に係る複合梁の別の例を示す断面図である。
【図２０】本発明の実施の形態３に係る複合梁を示す断面図である。
【図２１】本発明の実施の形態３に係る複合梁を示す断面図である。
【図２２】本発明の実施の形態３に係る複合梁を示す断面図である。
【図２３】本発明の実施の形態３に係る複合梁を示す断面図である。
【図２４】本発明の実施の形態３に係る複合梁を示す断面図である。
【図２５】本発明の実施の形態４に係る複合梁を示す断面図である。
【図２６】本発明の実施の形態５に係る複合梁を示す断面図である。
【図２７】本発明の実施の形態５に係る複合梁を示す断面図である。
【図２８】本発明の実施の形態５に係る複合梁を示す断面図である。
【図２９】本発明の実施の形態６に係る複合梁を用いたビームスクリーンを示す斜視図である。
【図３０】本発明の実施の形態６に係る複合梁を用いたビームスクリーンを示す斜視図である。
【図３１】本発明の実施の形態６に係る複合梁を用いたビームスクリーンを示す断面図である。
【図３２】本発明の実施の形態６に係る複合梁を用いたビームスクリーンを示す斜視図である。
【図３３】本発明の実施の形態７に係る複合梁をビームスクリーンとして使用した例を示す平面図である。
【図３４】本発明の実施の形態７に係る複合梁をビームスクリーンとして使用した例を示す断面図であり、(ａ)は横方向視での断面図、（ｂ）は正面方向視の断面図である。
【図３５】本発明の実施の形態７に係る複合梁をビームスクリーンとして使用した例を示す断面図である。
【発明を実施するための形態】
【００１１】
（実施の形態１）
図１は、本発明の実施の形態１に係る複合梁をビームスクリーンとして使用した例を示す平面図である。このビームスクリーン１００は、同図(ａ)に示すように、複数の複合梁１を一定間隔で垂直設置し、この複合梁１の間にガラスＧを嵌め込む構造の建築物又はその一部である。また、同図（ｂ）に示すように、複数の複合梁１を一定間隔で垂直方向に設置し、更に水平方向に各複合梁１を接続するように設置し、各複合梁１の間にガラスＧを嵌め込む構造である。
【００１２】
図２は、本発明の実施の形態１に係る複合梁を示す斜視図である。図３は、図２に示した複合梁の断面図である。この複合梁１は、配向性ストランドボード（ＯＳＢ）からなる帯板状のウェブ２及びこの両端の長手方向に篏合接着した断面が方形の棒状のフランジ３からなる木製Ｉ型梁４と、アルミニウム製の押し出し材から構成される長尺のフレーム５と、から構成される。前記フランジ３は、繊維方向を平行に仕組んだ多数のベニヤ単板を積層接着した単板積層材（ＬＶＬ）から構成される。前記木製Ｉ型梁４は、全体がウレタン塗装される。前記ウェブ２の面とフランジ３の同側面との間には一定の段差が生じる。
【００１３】
前記フレーム５は、アルミニウム又はアルミニウム合金の押し出し材からなり、長手方向に対して直交方向の断面がＨ形状となる。断面視でＨ形状の中央部分には、その長手方向に断熱材５ａが介在する。フレーム５の一方側（屋内側）５ｂは断面がＴ形状であり、板状のフランジ部５１が木製Ｉ型梁４のフランジ３の外面に当接し、木ネジで接合されている。フレーム５の他方側（屋外側）５ｃは断面がＴ形状であり、フランジ部５２が外側に設けられる。
【００１４】
前記断熱材５ａは、グラスファイバー混入ポリアミド樹脂からなる長手方向に中空の帯板状ないし紐状であり、フレーム５の一方側５ｂと他方側５ｃとの脚部分で互いを係止する構造である。なお、これらフレーム５の具体的な断面形状は、同図に示すものに限定されず、全体的に断面がＨ形状であり、その中央部分に断熱材５ａが介在し、一方側５ｂのフランジ部５１が木製Ｉ型梁４のフランジ３に接合していることが重要である。
【００１５】
この複合梁１は建築物の梁として用いられる。具体的には、図１に示すように、複数の複合梁１を垂直方向に配置し、各複合梁１の間に前記ガラスＧを嵌め込む。当該ガラスＧの端部は、フレーム５のＨ形状の両側の凹部５ｄに嵌め込まれ、樹脂ライナーで固定される。なお、前記フレーム５は、所定の強度が確保できれば樹脂や樹脂複合材から構成しても良い。
【００１６】
次に、図４、図５及び図７に示すように、木製Ｉ型梁４の下端は建築物の基礎Ｂと構造的に連結する。基礎Ｂに埋め込まれたアンカーボルトには断面がＬ字形状の一対のアングル２１が締結される。アングル２１の垂直方向の面どうしの間には金属板２２が嵌め込まれ、ボルト及びナットにより固定される。また、前記金属板２２とアングル２１とは溶接される。前記金属板２２の頂部には、水平方向に帯板２３が溶接される。この帯板２３の上面には一対の固定板２４が一定間隔をもって立設される。木製Ｉ型梁４のウェブ２は、当該固定板２４の間に挿入され且つその端縁が前記帯板２３で支持される。固定板２４とウェブ２とはボルト及びナットにより固定される。
【００１７】
帯板２３及び固定板２４は、木製Ｉ型梁４のウェブ２の幅に等しい。帯板２３、固定板２４、金属板２２及びアングル２１からなるブラケット２０は、一般構造用圧延鋼材等にめっき処理したものからなる。また、固定板２４とウェブ２との重畳面積をある程度確保するものとする。固定板２４の幅がウェブ２の幅と略同じであることから、ブラケット２０の端縁がフランジ３に当接し、又は、実質的に当接したのと同等に近接する（隙間が僅かである）。このため、様々な方向からの荷重が伝わりやすい。
【００１８】
次に、複合梁１を天井Ｃに固定するにあたり、図４乃至図６に示すように、天井Ｃ側の梁に対して断面がＬ字形状の一対のアングル３１が締結され且つ溶接される。そして当該アングル３１の垂直方向の面どうしの間に前記複合梁１のウェブ２を嵌め込み、ボルト及びナットにより固定する。アングル３１とウェブ２との間には金属製の補助板３２を介設する。補助板３２は、矩形の薄厚であり幅がウェブ２の幅と同じであり且つその両端が折り曲げられる。補助板３２は、平面部３２ａ及び折り曲げ部３２ｂにて前記ウェブ２及びフランジ３にネジ固定される。これにより、ウェブ２及びフランジ３に対して強固に固定される。
【００１９】
アングル３１は補助板３２を含めて天井Ｃ側のブラケット３０を構成するところ、当該ブラケット３０はウェブ２及びフランジ３に対して当接状態で且つネジ固定されている。このため、様々な方向からの荷重が伝わりやすい。
【００２０】
基礎Ｂ及び天井Ｃにおいてブラケット２０，３０はウェブ２の面でフランジ３の間に配置され、金属板からなるブラケット２０，３０の厚さが前記ウェブ２の面とフランジ３の同側面との間の段差分Ｓ（図３参照）より小さいため、取り合い部分がすっきりしたデザインとなる。
【００２１】
次に、複合梁１を水平方向に用いる場合、図８乃至図１０に示すように、垂直方向の複合梁１のウェブ２に対して一対のアングル４０を取り付ける。当該ウェブ２には穴が設けられ、当該穴にボルト及びナットを貫通させてウェブ２の両側にアングル４０を取り付ける。水平方向に配設する複合梁１にも同様の穴が設けられる。そして、前記アングル４０の水平方向側でウェブ２を支持すると共に当該穴にボルト及びナットを貫通させてアングル４０とウェブ２とを固定する。
【００２２】
前記アングル４０の幅はいずれもウェブ２の幅と略同じ又はそれより小さい。このため、フランジ３にアングル４０が収まるのですっきりとしたデザインとなる。また、アングル４０をウェブ２及びフランジ３に対して当接状態でネジ固定すれば、様々な方向からの荷重が伝わりやすい。更に、前記アングル４０が金属板であってその厚さがウェブ２の面とフランジ３の同側面との間に段差分Ｓより小さいため、取り合い部分がすっきりしたデザインとなる。
【００２３】
このように、水平方向に複合梁１を配設することで横座屈に強くなり、ビームスクリーン１００全体の強度が向上する。
【００２４】
（実施の形態２）
図１１及び図１２は、本発明の実施の形態２に係る複合梁を示す平面図である。図１３は、本発明の実施の形態２に係る複合梁を示す断面図である。この複合梁１２ａは、ウェブ２の両表面に補強材２０１をのこぎり状又はジグザグ状に設けた点に特徴がある。その他の構成は実施の形態１と同様であるから同一構成要素には同一符号を付してその説明を省略する。この複合梁１２ａは、ウェブ２の表面に対して断面が矩形となる補強材２０１を固定する。補強材２０１は長尺の棒体である。また、補強材２０１は、ウェブ２の長手方向に対して所定角度をもって且つフランジ３の間に渡って設けられる。
【００２５】
補強材２０１のウェブ２及びフランジ３に対する固定は、接着または隠し釘により行う。補強材２０１は、合板、ＬＶＬ，集成材、無垢材等の木材や、中空パイプ、Ｈ字又はＬ字のアングル等の金属、プラスチックを用いることができる。この補強材２０１により、複合梁１２ａの強度が向上する。更に、補強材２０１により複合梁１２ａに所定のデザイン性を与えることができる。なお、補強材２０１は、ウェブ２の両面に設けても良いし、片面に設けても良い。また、補強材２０１の厚さを前記ウェブ２の面とフランジ３の同側面との間に段差分Ｓより小さくすれば、補強材２０１がフランジ３の面の内側に収まることから、全体がすっきりしたデザインとなる。
【００２６】
図１４乃至図１６に示すように、ウェブ２の両面に帯板状の補強材２０２を設けても良い。この補強材２０２は、長尺の板材からなる。補強材２０２のウェブ２及びフランジ３に対する固定は接着または隠し釘により行う。補強材２０２は、合板、ＬＶＬ，集成材、無垢材等の木材や、平板の金属、プラスチックを用いることができる。この補強材２０２により、複合梁１２ｂの強度が向上する。更に、補強材２０２により複合梁１２ｂに所定のデザイン性を与えることができる。なお、補強材２０２は、ウェブ２の両面に設けても良いし、片面に設けても良い。
【００２７】
更に、図１７に示すように、ウェブ２の表面及びフランジ３の間に角材で格子２０３をつくり、当該格子２０３内に年輪が表面に出るように当該格子形状に切断した化粧板２０４を千鳥状に嵌め込んでも良い。ウェブ２及びフランジ３に対する固定は、接着または隠し釘により行う。前記角材は、合板、ＬＶＬ，集成材、無垢材等の木材でもよいし、金属製、プラスチック製でもよい。このようにすれば、格子構造にした角材により複合梁１２ｃの強度が向上すると共に化粧板２０４の年輪が表れてデザイン性が増す。また化粧板２０４を格子に隙間なく嵌め込むようにしても良い。前記格子２０３及び化粧板２０４は補強材としても機能する。
【００２８】
また、上記構成の他、ウェブ２の面とフランジ３の同側面との間に段差分Ｓ程度の厚さを備えたハニカム形状の板材をウェブ２及びフランジ３に固定することもできるし（図示省略）、図１８に示す複合梁１２ｄのように、同様の厚さを有する正方形の木材、金属またはプラスチックの板からなる補強材２０５を所定間隔で複数配置することもできる。更に、図１９に示す複合梁１２ｅのように、フランジ３の間であってウェブ２の全表面に透明のプラスチック製の補強材２０６を嵌め込むこともできる。
【００２９】
以上のように、本発明に係る複合梁１２は、ウェブ２の表面及びフランジ３の間に補強材を適宜固定することができ、補強材を固定してもすっきりしたデザインになると共に補強材の形状や配置により様々な意匠を構成できる。
【００３０】
（実施の形態３）
図２０乃至図２２は、本発明の実施の形態３に係る複合梁を示す断面図である。この複合梁１３ａは、ウェブ２の両表面に化粧パネル３０１を設けた点に特徴がある。その他の構成は実施の形態１と同様であるから同一構成要素には同一符号を付してその説明を省略する。この複合梁３０１は、ウェブ２の表面に対して断面が中空の化粧パネル３０１を固定する。化粧パネル３０１は、図２０に示すように、帯板状であって長手方向の両端がコの字形状に折り曲げ加工されている。化粧パネル３０１は、ステンレス鋼からなりその表面は鏡面加工がなされる。
【００３１】
化粧パネル３０１はウェブ２に設けたブラケット３０２に対し、前記両端の折り曲げ部分を係止することで固定する。なお、化粧パネル３０１の固定構造は図示の構成に限定されない。また、化粧パネル３０１はウェブ２の長手方向に２本平行に設けられる。図２１に示す複合梁１３ｂのように、化粧パネル３０３の表面が両端側に斜め上がるように金属帯板の両端を折り曲げ加工し、当該化粧パネル３０３をブラケット３０２によりウェブ２に固定しても良い。図２２に示す複合梁１３ｃのように、化粧パネル３０４の表面が中央に斜め上がるように金属帯板の両端を折り曲げ加工し、当該化粧パネル３０４をブラケット３０２によりウェブ２に固定しても良い。
【００３２】
このように、本発明に係る複合梁１３では、フランジ３の間で且つウェブ２の表面に化粧パネル３０１，３０３，３０４を配置することで、全体的にスリムなデザインを保持できる。なお、同図の例では、片側の化粧パネル３０１，３０３，３０４を幅方向に２つで構成したが、１つ又は３つ以上で構成しても良い。
【００３３】
また、図２３に示す複合梁１３ｄのように、ウェブ２に固定した帯板状の下地板材３０５に対し、両端を折り曲げた金属製の化粧パネル３０６を固定しても良い。この場合、下地板材によりウェブ２の強度が向上する。また、図２４に示す複合梁１３ｅのように、比較的厚い下地板材３０７の一方の表面に化粧合板３０８を張り付けたものを前記ウェブ２の表面に接着固定しても良い。また、ウェブ２の他方の表面には下地板材３０９のみを設けても良い。以上のようにすれば、デザイン性が増すと共にウェブ２の強度が飛躍的に向上する。
【００３４】
（実施の形態４）
図２５は、本発明の実施の形態４に係る複合梁を示す断面図である。この複合梁１４は、ウェブ２の両表面に化粧パネル４０１を設け、この化粧パネル４０１の内部に吸音材４０２を配置した点に特徴がある。その他の構成は実施の形態１と同様であるから同一構成要素には同一符号を付してその説明を省略する。この複合梁１４ではウェブ２の表面にその断面が中空の化粧パネル４０１を固定する。化粧パネル４０１は、図２５に示すように帯板状であって長手方向の両端がコの字形状に折り曲げ加工されたものである。化粧パネル４０１は、アルミニウム又はステンレス鋼からなりその表面は鏡面加工がなされる。
【００３５】
化粧パネル４０１の内側の空間には吸音材４０２が充填される。吸音材４０２にはグラスウールやフェルト等が用いられる。化粧パネル４０１の表面には吸音用の多数の穴が設けられる（図示省略）。穴の大きさ、形状、個数及び密度は必要となる吸音性能により適宜設定する。なお、図示しないが、化粧パネル４０１を長尺の筒状に形成し、当該筒状内部に吸音材４０２を予め充填し、これをウェブ２の表面に接着する構成にしても良い。
【００３６】
また、化粧パネル４０１の表面を幅方向で斜面（例えば図２１のような形態）又は湾曲面に構成して音の反射方向を調整できるようにしても良い。この場合、複数種類の角度を有する化粧パネル４０１を複合梁１４ごとに所定配置してビームスクリーン１００を構成することで、ユーザが音場を調整できるようになる。このように、本発明の複合梁１４では、吸音機能を簡単に付与できる。また、音のコンロトールを容易にできるようになる。
【００３７】
（実施の形態５）
図２６乃至図２８は、本発明の実施の形態５に係る複合梁を示す断面図である。この複合梁１５は、フランジ３とウェブ２の隅部分及びウェブ２表面に補強材５０１を設けた点に特徴がある。その他の構成は実施の形態１と同様であるから同一構成要素には同一符号を付してその説明を省略する。図２６に示すように、前記隅補強材５０１は、矩形断面の集成材からなる角材である。ウェブ２の表面全てにはステンレス鋼の薄板鏡面仕上げの面補強材５０２が張り付けられる。この状態でフランジ３とウェブ２の隅部分に、前記隅補強材５０１を当ててネジ固定する。ネジ固定は、フランジ３及びウェブ２に対して双方に行う。このようにすれば、ウェブ２のデザイン性が向上すると共にフランジ３の強度が大きくなる。
【００３８】
隅補強材５０３は、図２７に示すように、断面が台形となるものを用いても良い。この場合は、台形の斜面をフランジ３及びウェブ２の面に当て外側からねじ止めする。また、隅補強材５０４は、図２８に示すように、片面のみが斜面となる角材を用いても良い。このようにしても、すっきりとしたデザインになると共にフランジ３の強度が大きくなる。また、前記隅補強材の形状等により複合梁１の強度を調整できる。
【００３９】
（実施の形態６）
図２９乃至図３２は、本発明の実施の形態６に係る複合梁を用いたビームスクリーンを示す説明図である。複合梁１を用いたビームスクリーン６００は、複合梁１の間に横座屈を防止するための横座屈防止構造６０１を備えた点に特徴がある。その他の構成は実施の形態１と同様であるから同一構成要素には同一符号を付してその説明を省略する。
【００４０】
具体的には、図２９乃至図３１に示すように、ウェブ２とフランジ３とに渡って固定される金属製のプレート６０２と、このプレート６０２に対して固定される棒材６０３とから横座屈防止構造６０１を構成する。前記棒材６０３は、ステンレス等の材料からなり、隣接する複合梁１に固定したプレート６０２の間に渡され、当該棒材６０３の端部で当該プレート６０２に固定される。固定部６０４は、土台部６０５とこの土台部６０５に螺合する棒材６０３の螺合部（図示省略）とからなる。棒材６０３の両端には、ネジが互いに逆方向に形成されており、前記螺合部に螺合した状態で回転させると当該棒材６０３がつっぱり、プレート６０２間に固定される。
【００４１】
このようにすれば、複合梁１の横座屈方向の力を当該棒材６０３が受けて伝達し、隣接する複合梁１で受け止める。これにより、横方向の座屈に強くなるため、ビームスクリーン全体の強度が向上する。
【００４２】
他の横座屈防止構造の例を図３２に示す。水平方向に複合梁１を連結する場合（図１（ｂ）参照）、垂直方向の複合梁１の横座屈方向の力を水平方向の複合梁１に伝えるため、補強ピース６１０を複合梁１と複合梁１との間に生じる空隙を埋めるように設ける。同図の例では、Ｌ字形状に折り曲げた板状の補強ピース６１０を複合梁１の間の空隙を埋めるように取り付ける。水平方向の複合梁１のフランジ３にねじ止めし、曲がった面が垂直方向の複合梁１のフランジ３に当接するように取り付ける。
【００４３】
係る構成によれば、垂直方向の複合梁１に加わる横座屈の力が水平方向の複合梁１に補強ピース６１０を介して伝達するので、横方向の座屈に強くなりビームスクリーン全体の強度が向上する。
【００４４】
（実施の形態７）
図３３は、本発明の実施の形態７に係る複合梁をビームスクリーンとして使用した例を示す平面図である。同図のビームスクリーン７００は、複合梁１を所謂まぐさに使用した例である。図３４に示すように、垂直方向の複合梁１のウェブ２に対してアングル７０１を取り付ける。当該ウェブ２には穴７０２が設けられ、当該穴７０２にボルト及びナット７０３を貫通させてウェブ２の両側にアングル７０１を取り付ける。水平方向に配設する複合梁１（まぐさに相当）にも同様の穴７０２が設けられる。そして、前記アングル７０１の水平方向側でウェブ２を支持すると共に当該穴７０２にボルト及びナット７０３を貫通させてアングル７０１とウェブ２とを固定する。
【００４５】
前記アングル７０１の幅はいずれもウェブ２の幅と略同じ又はそれより小さい。このため、フランジ３にアングル７０１が収まるのですっきりとしたデザインとなる。また、アングル７０１が金属板であってその厚さがウェブ２の面とフランジ３の同側面との間に段差分より小さいため、取り合い部分がすっきりしたデザインとなる。このように、水平方向に複合梁１をまぐさとして配設することで、横座屈に強くなることからビームスクリーン７００全体の強度が向上する。
【００４６】
また、窓枠Ｆの一部を複合梁１（まぐさ）のフランジ３の間に収まるように配置する。このようにすれば、窓枠Ｆの厚さが複合梁１のなかに吸収されるので、まぐさ（１）及び窓枠Ｆの部分が太くなるのを防止できる。このため、すっきりとした繊細なデザインのビームスクリーン７００を構成できる。なお、複合梁１を窓台に使用しても良い（図示省略）。
【００４７】
更に、図３５に示すように、垂直方向の複合梁１のフランジ３の間にも、前記窓枠Ｆの一部が収まるように配置する。係る構成においても、窓枠Ｆの厚さが複合梁１のなかに吸収されるので、窓枠Ｆの部分が太くなるのを防止でき、すっきりとした繊細なデザインのビームスクリーン７００を構成できる。
【符号の説明】
【００４８】
１００  ビームスクリーン
１  複合梁
２  ウェブ
３  フランジ
４  木製Ｉ型梁
５  フレーム
２０，３０  ブラケット
【図１】
2020122290.tif 000003
【図２】
2020122290.tif 000004
【図３】
2020122290.tif 000005
【図４】
2020122290.tif 000006
【図５】
2020122290.tif 000007
【図６】
2020122290.tif 000008
【図７】
2020122290.tif 000009
【図８】
2020122290.tif 000010
【図９】
2020122290.tif 000011
【図１０】
2020122290.tif 000012
【図１１】
2020122290.tif 000013
【図１２】
2020122290.tif 000014
【図１３】
2020122290.tif 000015
【図１４】
2020122290.tif 000016
【図１５】
2020122290.tif 000017
【図１６】
2020122290.tif 000018
【図１７】
2020122290.tif 000019
【図１８】
2020122290.tif 000020
【図１９】
2020122290.tif 000021
【図２０】
2020122290.tif 000022
【図２１】
2020122290.tif 000023
【図２２】
2020122290.tif 000024
【図２３】
2020122290.tif 000025
【図２４】
2020122290.tif 000026
【図２５】
2020122290.tif 000027
【図２６】
2020122290.tif 000028
【図２７】
2020122290.tif 000029
【図２８】
2020122290.tif 000030
【図２９】
2020122290.tif 000031
【図３０】
2020122290.tif 000032
【図３１】
2020122290.tif 000033
【図３２】
2020122290.tif 000034
【図３３】
2020122290.tif 000035
【図３４】
2020122290.tif 000036
【図３５】
2020122290.tif 000037